(57)【要約】【課題】遊技機の止まった原因を容易かつ迅速に特定することのできる遊技機の電源電圧監視装置を提供する。【解決手段】台電源スイッチ２８が落ち、スロットマシン１（遊技機）の動作が止まると、まず１次電源電圧の電圧を監視し、１次電源電圧の電圧に異常があれば報知手段８３の異常用ＬＥＤ８３０ａまたは８３０ｂによって報知し、１次電源電圧の電圧が正常であれば、台電源スイッチ２８が復帰した後、２次電源電圧の電圧を監視し、２次電源電圧の何れかの電圧に異常があれば報知手段８３の異常用ＬＥＤ８３１ａ，８３２ａ，８３３ａの何れかによって報知し、１次及び２次電源電圧が正常、すなわちスロットマシン１自体の故障があれば報知手段の正常用ＬＥＤ８３０ｃ，８３１ｂ，８３２ｂ，８３３ｂによって報知する電源電圧監視装置８０をスロットマシン１（遊技機）に設ける。【選択図】図３
2009082605.tif 000002
【特許請求の範囲】
【請求項１】
遊技島から供給される１次電源電圧を２次電源電圧に変換する出力電源生成手段を備えた遊技機の電源電圧監視装置において、
前記電源電圧監視手段は、
所定の電源電圧の電圧を検出するための電源電圧検出手段と、
該電源電圧検出手段で検出した検出値が正常か否かを判定する判定手段と、
該判定手段の判定結果を報知する報知手段と、を有し、
前記電源電圧検出手段は、
前記所定の電源電圧の一つである前記１次電源電圧の電圧を検出するための入力電源電圧検出手段を、有し、
前記判定手段は、
前記入力電源電圧検出手段が検出した検出値と予め設定された所定値とに基づいて前記入力電源電圧検出手段が検出した検出値が正常か否かを判定し、前記入力電源電圧検出手段が検出した検出値が異常と判定した場合には、前記報知手段の第１の報知態様によって報知する、
ことを特徴とする遊技機の電源電圧監視装置。
【請求項２】
前記電源電圧検出手段は、
前記所定の電源電圧の一つである前記２次電源電圧の電圧を検出するための出力電源電圧検出手段を、さらに有し、
前記判定手段は、
前記出力電源電圧検出手段が検出した検出値と予め設定された所定値とに基づいて前記出力電源電圧検出手段が検出した検出値が正常か否かを判定する機能をさらに有し、
前記入力電源電圧検出手段が検出した検出値が正常と判定した場合には、前記出力電源電圧検出手段が検出した検出値と予め設定された所定値とに基づいて前記出力電源電圧検出手段が検出した検出値が正常か否かを判定し、
前記出力電源電圧検出手段が検出した検出値が異常と判定した場合には、前記報知手段の第２の報知態様によって報知し、
前記出力電源電圧検出手段が検出した検出値が正常と判定した場合には、前記報知手段の第３の報知態様によって報知する、
ことを特徴とする請求項１に記載の遊技機の電源電圧監視装置。
【発明の詳細な説明】
【技術分野】
【０００１】
この発明は、例えばスロットマシン等の遊技機の電源電圧監視装置に関する。
【背景技術】
【０００２】
従来、スロットマシン等の遊技機にあっては、遊技島から供給される１次電源電圧（ＡＣ２４Ｖ）を各種の制御基板や駆動装置、音響、照明用の駆動電源として２次電源電圧（例えばＤＣ２４Ｖ，ＤＣ１８Ｖ，ＤＣ１２Ｖ等）に変換する電源装置を備えたものがある。このような電源装置は、定格の１次電源電圧によって安定した２次電源電圧を生成するようにはなっているが、例えば稼働台が増加した状態で台が大当たり、つまり１次電源電圧が低下した状態で急激に大電力が必要になると、動作が不安定となり、台の電源が落ち、遊技機が止まってしまうことがあった。
【０００３】
そこで、例えば、特許文献１には、電源の電圧低下を検知する電源監視回路と、電源の電圧低下時に遊技状態を記憶する不揮発性の書換可能記憶装置とを備え、電源電圧が予め設定された所定の電圧以下になると、電源が低下する前の状態から遊技を再開するように構成された遊技機が提案されている。
【０００４】
【特許文献１】特開２００４−１２１２８５号公報
【発明の開示】
【発明が解決しようとする課題】
【０００５】
しかしながら、特許文献１に記載された発明にあっては、遊技機が止まった原因が、１次または２次電源電圧のうちどちらが低下したためなのか、遊技機自体の故障によるものなのか、判断が容易につかないという問題があった。そのため、止まった遊技機を復旧させる際に時間がかかってしまうことがあった。
【０００６】
そこで、この発明は、遊技機の止まった原因を容易かつ迅速に特定することのできる遊技機の電源電圧監視装置を提供することを目的とする。
【課題を解決するための手段】
【０００７】
上記目的を達成するため請求項１に記載の発明は、遊技島から供給される１次電源電圧を２次電源電圧に変換する出力電源生成手段を備えた遊技機の電源電圧監視装置において、
前記電源電圧監視手段は、所定の電源電圧の電圧を検出するための電源電圧検出手段と、該電源電圧検出手段で検出した検出値が正常か否かを判定する判定手段と、該判定手段の判定結果を報知する報知手段と、を有し、前記電源電圧検出手段は、前記所定の電源電圧の一つである前記１次電源電圧の電圧を検出するための入力電源電圧検出手段を、有し、前記判定手段は、前記入力電源電圧検出手段が検出した検出値と予め設定された所定値とに基づいて前記入力電源電圧検出手段が検出した検出値が正常か否かを判定し、前記入力電源電圧検出手段が検出した検出値が異常と判定した場合には、前記報知手段の第１の報知態様によって報知する、ことを特徴とする。
【０００８】
上記目的を達成するため請求項２に記載の発明は、請求項１に記載の発明の構成に加えて、前記電源電圧検出手段は、前記所定の電源電圧の一つである前記２次電源電圧の電圧を検出するための出力電源電圧検出手段を、さらに有し、前記判定手段は、前記出力電源電圧検出手段が検出した検出値と予め設定された所定値とに基づいて前記出力電源電圧検出手段が検出した検出値が正常か否かを判定する機能をさらに有し、前記入力電源電圧検出手段が検出した検出値が正常と判定した場合には、前記出力電源電圧検出手段が検出した検出値と予め設定された所定値とに基づいて前記出力電源電圧検出手段が検出した検出値が正常か否かを判定し、前記出力電源電圧検出手段が検出した検出値が異常と判定した場合には、前記報知手段の第２の報知態様によって報知し、前記出力電源電圧検出手段が検出した検出値が正常と判定した場合には、前記報知手段の第３の報知態様によって報知する、ことを特徴とする。
【０００９】
請求項１、２に記載の遊技機の電源電圧監視装置によれば、台電源が落ち、遊技機の動作が止まると、まず１次電源電圧の電圧を監視し、１次電源電圧の電圧に異常があれば報知手段の第１の報知態様によって報知する。また、１次電源電圧の電圧が正常であれば、台電源が復帰した後、２次電源電圧の電圧を監視し、２次電源電圧の電圧に異常があれば報知手段の第２の報知態様によって報知する。また、１次及び２次電源電圧が正常であれば報知手段の第３の報知態様によって報知する。第３の報知態様がなされたということは、遊技機が止まった原因は遊技機自体の故障にある、ということを示している。したがって、報知手段の第１〜第３の報知態様によって、遊技機が止まった原因を容易かつ迅速に特定することができるようになり、遊技機の復旧、再起動を短時間で行うことができるようになる。
【発明の効果】
【００１０】
本発明の遊技機の電源電圧監視装置によれば、１次電源電圧の電圧及び２次電源電圧の電圧を監視し、１次電源電圧の電圧に異常があれば報知手段の第１の報知態様によって、２次電源電圧の電圧に異常があれば報知手段の第２の報知態様によって、遊技機自体に故障があれば報知手段の第３の報知態様によって報知する。したがって、遊技機の止まった原因が、１次電源電圧または２次電源電圧の低下によるものか、遊技機自体の故障によるものなのかを、報知手段の報知態様から簡単に判断することができ、遊技機の復旧、再起動を短時間で行うことができるようになる。
【発明を実施するための最良の形態】
【００１１】
以下、本発明の好適な一実施形態を、スロットマシン（パチスロ機）を例に図面を参照して説明する。図１は、スロットマシンの正面図、図２は、前扉を開放した状態におけるスロットマシンの内部構造を示した図である。なお、「左」、「右」は、遊技者から見た方向に従うものとする。
【００１２】
まず、スロットマシンの構成について説明する。図１，２に示されるように、スロットマシン１は、前面が開放した矩形状箱体の筐体（所謂キャビネット、図２に図示）２と、この筐体２にスライドヒンジ３，３を介して開閉可能に取り付けられた右開き（左ヒンジ）の前扉（所謂フロントマスク）４と、を備えている。
【００１３】
筐体２は、図２に示されるように、いずれも木製の上板部２ａ、左右側板部２ｂ，２ｃ、底板部２ｄ、背板部２ｅを備えている。
筐体２内の背板部２ｅの上部には、スロットマシン１の主要動作を集中制御するＣＰＵ（マイコン）、ＲＯＭ、ＲＡＭなどの電子部品を搭載した主制御基板２０が基板ケース２１内に内部封止された状態で取り付けられている。
【００１４】
また、筐体２内の右側板部２ｃの上部には、スロットマシン１からホールコンピュータ（図示せず）に向かって所定の情報データ（例えば、大当たり、払い戻し数等）を出力するための外部出力端子を備えた外部集中端子基板２２が取り付けられている。
【００１５】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。
【００１６】
リール１０１ａ，１０１ｂ，１０１ｃは、リール毎に内蔵されたステッピングモータによって回転駆動されるものであって、リールユニット１００の上面には、ステッピングモータへ４相の駆動パルス信号を送出する回胴装置基板２３が取り付け固定されている。そして、主制御基板２０が回胴装置基板２３に回胴駆動（励磁）パルスデータを送出することで、リールｌ０１ａ，１０１ｂ，１０１ｃの回転、制動及び停止の制御が行われるようになっている。
【００１７】
リールユニット１００の下方側、つまり筐体２内の底板部２ｄの上面中央には、筐体２内に投入されたメダル等の遊技媒体（以下、メダルという）を一時的に貯留し、必要に応じて払い出すメダル払出装置としてのホッパー装置２４が取り付けられている。このホッパー装置２４の右側には、このホッパー装置２４から溢れたメダルを収容するためのサブタンク２５が配設されていると共に、ホッパー装置２４の左側には、遊技島の電源コンセント（ＡＣ２４Ｖ）に接続された出力電源生成手段としての電源装置２６がアースされた状態で配設されている。
【００１８】
電源装置２６の前面には、透明な開閉扉２７によって保護されたロッカースイッチ式の台電源スイッチ２８が設けられている。この台電源スイッチ２８をＯＮすると、電源装置２６は遊技島から供給される１次源電圧（ＡＣ２４Ｖ）を３種類の２次電源電圧（ＤＣ２４Ｖ，ＤＣ１８Ｖ，ＤＣ１２Ｖ）に変換して内部装置に供給するようになっている。また、この台電源スイッチ２８は、１次電源電圧または２次電源電圧が予め設定された所定電圧よりも低下したり、スロットマシン１自体に故障が発生すると電源が落ちるようになっている。
【００１９】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００２０】
上部パネル部５の中央には、パネル面５０が設けられている。このパネル面５０のほぼ中央には、略矩形状の透明な表示窓５１が設けられており、遊技者は、この表示窓５１を通して、筐体２内に設けられたリールユニット１００の３個のリール１０１ａ，１０１ｂ，１０１ｃを目視できるようになっている。
【００２１】
上部パネル部５の上部や左右側部には、レンズパネルの内部に蛍光灯や高輝度発光ダイオード等の光源を内蔵する照明手段としての照明演出装置５２、演出用照明部５３ａ〜５３ｈが配設されている。これら照明演出装置５２、演出用照明部５３ａ〜５３ｈは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている。
【００２２】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２３】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４９ａ，４９ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に灰皿６５が設けられている。
【００２４】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｈと同様に、ゲームの進行に応じて点灯或いは点滅することで、ゲームにおける視覚的な演出効果を高めるようになっている。
【００２５】
操作卓７は、その上面側に、メダル投入部７１、ベットボタン７２，７３が配設されていると共に、前面側に、スタートレバー７４、ストップボタン７５ａ，７５ｂ，７５ｃ、精算ボタン７６、イジェクトボタン７７、鍵穴７８が配設されている。
【００２６】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２７】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２８】
イジェクトボタン７７は、メダル投入後に詰まったメダルを排出するボタンスイッチである。
鍵穴７８は、前扉４を開錠する際に用いられる鍵穴であって、この鍵穴７８に鍵を挿入して所定操作すると、前扉４を開くことができるようになっている。また、前扉４は、筐体２側に閉じると自動的に施錠されるようになっている。
【００２９】
次に、前扉４の裏面構造について説明する。
図２に示されるように、前扉４の裏面側上部、つまり、液晶表示演出装置５５の裏面側にあたる位置には、電気回路基板によって形成されたサブ制御基板４０が、透明な硬質合成樹脂製の基板ケース４１によって封止された状態で配設されている。このサブ制御基板４０は、液晶表示演出装置５５による演出映像の表示制御、照明演出装置５２及び演出用照明部５３ａ〜５３ｈ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００３０】
サブ制御基板４０の下方側、すなわち、パネル面５０の裏面側にあたる位置には、リールｌ０１ａ，１０１ｂ，１０１ｃの外周面を照射して図柄を明るく表示するための冷陰極蛍光ランプ４３と、冷陰極蛍光ランプ４３を駆動するインバータ４４と、透明な硬質合成樹脂製の中央制御基板カバー４５によって封止された中央制御基板４６とが、ユニット化された状態で取り付けられている。
【００３１】
操作卓７の裏面側の、メダル投入部７１の下方側にあたる位置には、メダル選別装置４７が配設されている。このメダル選別装置４７は、メダル投入部７１から投入されたメダルの適否を判別し振り分ける装置である。さらに、このメダル選別装置４７は、メダルセンサを内蔵しており、ゲームの待機状態等において正規のメダルが投入されてメダルセンサがこのメダルを検出すると、メダル投入の受け付けを示す信号を中央制御基板４６へ送出するようになっている。
【００３２】
また、メダル選別装置４７には、メダル選別装置４７の右側面から排出された正規のメダルを筐体２内に設けられたホッパー装置２４へ案内する紙面奥側から手前側に延びた平面視Ｊ字状のガイド部材４８ａと、メダル選別装置４７により排除されたメダル（或いは異物）を下方のメダル払出口６３へ案内するガイド部材４８ｂと、ホッパー装置２４から排出されたメダルをメダル払出口６３へ案内するガイド部材４８ｃとが連なっている。
また、前扉４の裏面側下部、つまり、演出用放音部６４ａ，６４ｂの裏目側にあたる位置には、左右一対のスピーカ４９ａ，４９ｂが配設されている。
【００３３】
次に、本発明の遊技機の電源電圧監視装置について図３を用いて説明する。
図３は、本発明の遊技機の電源電圧監視装置の構成を示したブロック図である。
【００３４】
図３に示されるように、電源電圧監視装置８０は、台電源スイッチ２８が落ち、スロットマシン１の動作が止まると動作するように設定されているものであって、所定の電源電圧、すなわち、１次電源電圧及び２次電源電圧の電圧を検出するための電源電圧検出手段８１と、電源電圧検出手段８１で検出した検出値が正常か否かを判定する判定手段８２と、判定手段８２の判定結果を報知するための報知手段８３と、を備えている。
【００３５】
詳述すると、電源電圧検出手段８１は、所定の電源電圧の一つである１次電源電圧（ＡＣ２４Ｖ）の電圧を検出する入力電源電圧検出手段８１０と、所定の電源電圧の一つとされる２次電源電圧（ＤＣ２４Ｖ，ＤＣ１８Ｖ，ＤＣ１２Ｖ）の電圧を検出する第１〜第３出力電源電圧検出手段８１１〜８１３とを備えている。
【００３６】
入力電源電圧検出手段８１０は、電源装置２６の台電源スイッチ２８よりも上流側における１次電源電圧の電圧を検出するように配設されている。この入力電源電圧検出手段８１０が検出した検出値は、判定手段８２の入力電圧判定手段８２０（詳しくは後述する。以下、同様）に入力されるようになっている。
【００３７】
第１〜第３出力電源電圧検出手段８１１〜８１３は、電源装置２６から出力される３種類の２次電源電圧（ＤＣ２４Ｖ，ＤＣ１８Ｖ，ＤＣ１２Ｖ）を検出するようにそれぞれ配設されている。そして、第１出力電源電圧検出手段８１１（ＤＣ２４Ｖ）が検出した検出値は、判定手段８２の第１出力電圧判定手段８２１、第２出力電源電圧検出手段８１２（ＤＣ１８Ｖ）が検出した検出値は、判定手段８２の第２出力電圧判定手段８２２、第３出力電源電圧検出手段８１３（ＤＣ１２Ｖ）が検出した検出値は、判定手段８２の第３出力電圧判定手段８２３にそれぞれ入力されるようになっている。
【００３８】
判定手段８２は、入力電源電圧検出手段８１０が検出した検出値が入力される入力電圧判定手段８２０と、第１〜第３出力電源電圧検出手段８１１〜８１３が検出した検出値が入力されるように第１〜第３出力電源電圧検出手段８１１〜８１３毎に応じて設けられた第１〜第３出力電圧判定手段８２１〜８２３とを備えている。
【００３９】
入力電圧判定手段８２０は、入力電源電圧検出手段８１０（ＡＣ２４Ｖ）が検出した検出値と、入力電源電圧用に予め設定された所定値（例えば、２４Ｖ±α）と、に基づいて入力電源電圧検出手段８１０が検出した検出値が正常か否か（検出値が２４Ｖ±α内に収まっているか否か）を判定し、その判定結果を報知手段８３の第１報知手段８３０（詳しくは後述する。以下、同様）を用いて報知する。さらに、この入力電圧判定手段８２０が、入力電源電圧検出手段８１０が検出した検出値が正常と判断すると、第１〜第３出力電圧判定手段８２１〜８２３による２次電源電圧の電圧が正常か否かの判定が行われるようになっている。
【００４０】
第１出力電圧判定手段８２１は、第１出力電源電圧検出手段８１１（ＤＣ２４Ｖ）が検出した検出値と、第１出力電源電圧用に予め設定された所定値（例えば、２４Ｖ±β）と、に基づいて第１出力電源電圧検出手段８１１が検出した検出値が正常か否か（検出値が２４Ｖ±β内に収まっているか否か）を判定し、その判定結果を報知手段８３の第１出力報知手段８３１を用いて報知する。
第２出力電圧判定手段８２２は、第２出力電源電圧検出手段８１２（ＤＣ１８Ｖ）が検出した検出値と、第２出力電源電圧用に予め設定された所定値（例えば１８Ｖ±γ）と、に基づいて第１出力電源電圧検出手段８１２が検出した検出値が正常か否か（検出値が１８Ｖ±γ内に収まっているか否か）を判定し、その判定結果を報知手段８３の第２出力報知手段８３２を用いて報知する。
第３出力電圧判定手段８２３は、第３出力電圧判定手段８２３（ＤＣ１２Ｖ）が検出した検出値と、第３出力電源電圧用に予め設定された所定値（例えば１２Ｖ±δ）と、に基づいて第３出力電源電圧検出手段８１３が検出した検出値が正常か否か（検出値が１２Ｖ±δ内に収まっているか否か）を判定し、その判定結果を報知手段８３の第３出力報知手段８３３を用いて報知する。
【００４１】
報知手段８３は、入力電圧判定手段８２０の判定結果を報知する第１報知手段８３０と、第１〜第３出力電圧判定手段８２１〜８２３の判定結果を報知するように第１〜第３出力電圧判定手段８２１〜８２３毎に応じて設けられた第１〜第３出力報知手段８３１〜８３３とを備えている。
【００４２】
第１報知手段８３０は、入力電圧判定手段８２０が異常と判定した場合と、正常と判定した場合とを区別して報知するための２つの異常用ＬＥＤ８３０ａ，８３０ｂと正常用ＬＥＤ８３０ｃとを備えている。２つの異常用ＬＥＤ８３０ａ，８３０ｂによる報知は、第１報知手段８３０による第１の報知態様であると共に、入力電源電圧が所定値よりも小である場合に異常用ＬＥＤ８３０ａが報知し、入力電源電圧が所定値よりも大である場合に異常用ＬＥＤ８３０ｂが報知するようになっている。
【００４３】
第１出力報知手段８３１は、第１出力電圧判定手段８２１が異常と判定した場合と、正常と判定した場合とを区別して報知するための異常用ＬＥＤ８３１ａと正常用ＬＥＤ８３１ｂとを備えている。異常用ＬＥＤ８３１ａによる報知は、第１出力報知手段８３１の第２の報知態様であり、また、異常用ＬＥＤ８３１ｂによる報知は、第１出力報知手段８３１の第３の報知態様である。
これと同様にして、第２出力報知手段８３２は、異常用ＬＥＤ８３２ａと正常用ＬＥＤ８３２ｂとを備えていると共に、第３出力報知手段８３３は、異常用ＬＥＤ８３３ａと正常用ＬＥＤ８３３ｂとを備えている。
異常用ＬＥＤ８３２ａによる報知は、第２出力報知手段８３２の第２の報知態様であり、異常用ＬＥＤ８３２ｂによる報知は、第２出力報知手段８３２の第３の報知態様である。
また、異常用ＬＥＤ８３３ａによる報知は、第３出力報知手段８３３の第２の報知態様であり、異常用ＬＥＤ８３３ｂによる報知は、第３出力報知手段８３３の第３の報知態様である。
【００４４】
なお、報知手段８３は、ＬＥＤのみに限定されるものではなく、他の照明手段、例えばバーグラフ・ディスプレイを備えたレベルメータを用いても良い。そして、バーグラフ・ディスプレイに表示されるバーのピーク時の長さによって、各判定手段８２０〜８２３が検出した検出値が正常か否かを判断するように構成してもよい。
【００４５】
ここで、上述した電源電圧監視装置８０の動作について図４を用いて説明する。図４は、同例における電源電圧監視装置８０の動作を示すフローチャートである。
【００４６】
まず、電源電圧監視装置８０の動作について簡単に説明すると、台電源スイッチ２８が落ち、スロットマシン１の動作が止まると、電源電圧監視装置８０は、１次電源電圧が正常か否かを判断し、否定されるときは報知手段８３の第１の報知態様によって報知し、肯定されるときは２次電源電圧が正常か否かを判断し、否定されるときは報知手段８３の第２の報知態様によって報知し、肯定されるときは報知手段８３の第３の報知態様によって報知するようになっている。
【００４７】
詳述すると、ステップ１０において、入力電圧判定手段８２０は、入力電源電圧検出手段８１０（ＡＣ２４Ｖ）が検出した検出値と、入力電源電圧用に予め設定された所定値（２４Ｖ±α）と、に基づいて入力電源電圧検出手段８１０が検出した検出値が正常か否か（検出値が２４Ｖ±α内に収まっているか否か）を判定し、否定されるときはステップ１１において検出値が下限値（２４Ｖ−α）よりも小さい場合には、ステップ１２において異常用ＬＥＤ８３０ａを点灯し（第１の報知態様）、上限値（２４Ｖ＋α）よりも大きい場合には、ステップ１３において異常用ＬＥＤ８３０ｂを点灯し（第１の報知態様）、何れの場合にも該当しなければ、ステップ１４において、台電源スイッチ２８の切り替え（この場合はＯＦＦ→ＯＮのこと）を無効化するようになっている。その後本ルーチンを終了する。
これに対し、ステップ１０において肯定されるときは、ステップ１５において正常用ＬＥＤ８３０ｃを点灯する（報知手段８３の第３の報知態様）。それからステップ１６以降の処理に移行する。
【００４８】
ステップ１６において、例えばホール従業員などにより手動で台電源スイッチ２８がＯＮされたことを確認すると、ステップ１７において２次電源電圧の監視を開始し、ステップ１８，１９，２０の処理へ移る。
なお、台電源スイッチ２８は、手動でＯＮされる構成に代えて、入力電圧判定手段８２０が正常と判断すると自動的にＯＮするように構成してもよい。
【００４９】
ステップ１８においては、第１出力電圧判定手段８２１は、第１出力電源電圧検出手段８１１（ＤＣ２４Ｖ）が検出した検出値と、第１出力電源電圧用に予め設定された所定値（２４Ｖ±β）と、に基づいて第１出力電源電圧検出手段８１１が検出した検出値が正常か否か（検出値が２４Ｖ±β内に収まっているか否か）を判定し、否定されるときはステップ２１において異常用ＬＥＤ８３１ａ（報知手段８３の第２の報知態様）によって報知し、肯定されるときはステップ２２において正常用ＬＥＤ８３１ｂ（報知手段８３の第３の報知態様）によって報知する。その後本ルーチンを終了する。
【００５０】
ステップ１９においては、第２出力電圧判定手段８２２は、第２出力電源電圧検出手段８１２（ＤＣ１８Ｖ）が検出した検出値と、第２出力電源電圧用に予め設定された所定値（１８Ｖ±γ）と、に基づいて第１出力電源電圧検出手段８１２が検出した検出値が正常か否か（検出値が１８Ｖ±γ内に収まっているか否か）を判定し、否定されるときはステップ２３において異常用ＬＥＤ８３２ａ（報知手段８３の第２の報知態様）によって報知し、肯定されるときはステップ２４において正常用ＬＥＤ８３２ｂ（報知手段８３の第３の報知態様）によって報知する。その後本ルーチンを終了する。
【００５１】
ステップ２０においては、第３出力電圧判定手段８２３は、第３出力電圧判定手段８２３（ＤＣ１２Ｖ）が検出した検出値と、第３出力電源電圧用に予め設定された所定値（１２Ｖ±δ）と、に基づいて第３出力電源電圧検出手段８１３が検出した検出値が正常か否か（検出値が１２Ｖ±δ内に収まっているか否か）を判定し、否定されるときはステップ２５において異常用ＬＥＤ８３３ａ（報知手段８３の第２の報知態様）によって報知し、肯定されるときはステップ２６において正常用ＬＥＤ８３３ｂ（報知手段８３の第３の報知態様）によって報知する。その後本ルーチンを終了する。
【００５２】
なお、ステップ１８，１９，２０を並列処理するのではなく、決まった順序で１つずつ処理してもよい。
また、点灯させた異常用ＬＥＤや正常用ＬＥＤは、所定時間が経過したり、所定操作すると消灯するようになっている。また、異常用ＬＥＤ及び正常用ＬＥＤにあっては、２色ＬＥＤや３色ＬＥＤを用いてもよい。さらにまた、報知手段８３は、電球、蛍光灯等の発光体を用いてもよいし、スロットマシン１の照明手段５２，５３ａ〜５３ｈや６６ａ，６６ｂ等を用いてもよい。
また、判定手段８２における判定結果を、演出用放音部５３ａ，５３ｂや６４ａ，６４ｂを用いて報知してもよいし、スロットマシン１からホールコンピュータ（図示せず）に向かって送出するようにしてもよい。
【００５３】
また、この電源電圧監視装置８０は、１次または２次電源電圧によって繰り返し充電される充電池によって動作するようになっているが、これに限定されるものではない。
【００５４】
以上説明したように本発明の遊技機の電源電圧監視装置によれば、台電源スイッチ２８が落ち、スロットマシン１の動作が止まると、まず１次電源電圧の電圧を監視し、１次電源電圧の電圧の異常があれば異常用ＬＥＤ８３０ａまたは８３０ｂによって報知する（第１の報知態様）。また、１次電源電圧の電圧が正常であれば、台電源スイッチ２８が復帰した後、２次電源電圧の電圧を監視し、２次電源電圧（ＤＣ２４Ｖ）の電圧に異常があれば異常用ＬＥＤ８３１ａによって、２次電源電圧（ＤＣ１８Ｖ）の電圧に異常があれば異常用ＬＥＤ８３２ａによって、２次電源電圧（ＤＣ１２Ｖ）の電圧に異常があれば異常用ＬＥＤ８３３ａによって報知する（第２の報知態様）。また、１次及び２次電源電圧が正常であれば、正常用ＬＥＤ８３０ｃ，８３１ｂ，８３２ｂ，８３３ｂによって報知する（第３の報知態様）。正常用ＬＥＤ８３０ｃ，８３１ｂ，８３２ｂ，８３３ｂによる第３の報知態様がなされたということは、スロットマシン１の動作が止まった原因はスロットマシン１自体の故障にある、ということを示している。したがって、報知手段８３の第１〜第３の報知態様から、スロットマシン１の動作が止まった原因が、１次電源電圧または２次電源電圧の低下によるものか、スロットマシン１自体の故障によるものなのかを、容易かつ迅速に特定することができるようになり、スロットマシン１の復旧、再起動を短時間で行うことができるようになる。
【００５５】
なお、本実施形態にあっては、２次電源電圧を３種類として説明したが、これに限定されるものではなく、２次電源電圧の種類はこれよりも多くても少なくてもよい。また、２次電源電圧の種類に応じて電源電圧検出手段８１の出力電源電圧検出手段の数、判定手段８２の出力電圧判定手段の数、報知手段８３の出力報知手段の数を増減することが可能である。
【図面の簡単な説明】
【００５６】
【図１】スロットマシンの正面図である。
【図２】前扉を開放した状態におけるスロットマシンの内部構造を示した正面図である。
【図３】本発明の遊技機の電源電圧監視装置の構成を示したブロック図である。
【図４】同例における電源電圧監視装置の動作を示すフローチャートである。
【符号の説明】
【００５７】
１…スロットマシン（遊技機）
２６…電源装置（出力電源生成手段）
２８…台電源スイッチ
８０…電源電圧監視装置
８１…電源電圧検出手段
８１０…入力電源電圧検出手段
８１１…第１出力電源電圧検出手段
８１２…第２出力電源電圧検出手段
８１３…第３出力電源電圧検出手段
８２…判定手段
８２０…入力電圧判定手段
８２１…第１出力電圧判定手段
８２２…第２出力電圧判定手段
８２３…第３出力電圧判定手段
８３…報知手段
８３０…第１報知手段
８３０ａ…異常用ＬＥＤ（第１の報知態様）
８３０ｂ…異常用ＬＥＤ（第１の報知態様）
８３０ｃ…正常用ＬＥＤ（第３の報知態様）
８３１…第１出力報知手段
８３１ａ…異常用ＬＥＤ（第２の報知態様）
８３１ｂ…正常用ＬＥＤ（第３の報知態様）
８３２…第２出力報知手段
８３２ａ…異常用ＬＥＤ（第２の報知態様）
８３２ｂ…正常用ＬＥＤ（第３の報知態様）
８３３…第３出力報知手段
８３３ａ…異常用ＬＥＤ（第２の報知態様）
８３３ｂ…正常用ＬＥＤ（第３の報知態様）
【図１】
2009082605.tif 000003
【図２】
2009082605.tif 000004
【図３】
2009082605.tif 000005
【図４】
2009082605.tif 000006